(57)【要約】【課題】壁面に反りが発生していても、安定的に密接して取り付けることができる壁付け配線部材を提供する。【解決手段】裏面１１ａに開口する配線穴１３と、配線穴１３から延び出る配線１４とを有し、裏面１１ａ側が壁面４ａに接して固定される壁付け配線部材１０であって、裏面１１ａの配線穴１３の周囲に、裏面１１ａから壁面４ａに向けて突出する突起部１６を有し、突起部１６が裏面１１ａよりも壁面４ａに近接して固定される構成を有する。第１の突起部１６は環状であってもよく、第１の突起部１６の内側に、裏面１１ａに取り付けられて配線穴１３を取り囲む止水パッキン１７や、壁面４ａに対してネジ止めするためのネジ穴１５ａ、１５ｂを有していてもよく、裏面１１ａの外周縁に沿って段差部１９を有してもよい。【選択図】図２
2019046628.tif 000002
【特許請求の範囲】
【請求項１】
裏面に開口する配線穴と、前記配線穴から延び出る配線とを有し、前記裏面側が壁面に接して固定される壁付け配線部材であって、
前記裏面の前記配線穴の周囲に、前記裏面から前記壁面に向けて突出する突起部を有し、前記突起部が前記裏面よりも前記壁面に近接して固定される構成を有する、壁付け配線部材。
【請求項２】
前記突起部は環状である、請求項１に記載の壁付け配線部材。
【請求項３】
前記突起部の内側に、前記裏面に取り付けられて前記配線穴を取り囲む止水パッキンを有する、請求項１又は２に記載の壁付け配線部材。
【請求項４】
前記突起部の内側に、前記壁面に対してネジ止めするためのネジ穴を有する、請求項１〜３のいずれか１項に記載の壁付け配線部材。
【請求項５】
前記裏面の外周縁に沿って、段差部を有する、請求項１〜４のいずれか１項に記載の壁付け配線部材。
【請求項６】
前記突起部は、前記裏面に対して別体に形成されている、請求項１〜５のいずれか１項に記載の壁付け配線部材。
【発明の詳細な説明】
【技術分野】
【０００１】
本発明は、浴室等の壁面に対して取り付けられる壁付け配線部材に関する。
【背景技術】
【０００２】
壁面に取り付けられる照明装置等の壁付け配線部材が知られている（例えば、特許文献１参照）。このような壁付け配線部材は、壁面に対して安定的に密接して取り付けられる必要がある。裏面に開口する配線穴から埃等が入り込まないようにするためである。特に、壁付け配線部材が浴室やシャワールーム等の水気を有する室内又は雨に晒される屋外の壁面に取り付けられる場合は止水性も要求される。
【先行技術文献】
【特許文献】
【０００３】
【特許文献１】特開２０１６−１４９２８６号公報
【発明の概要】
【発明が解決しようとする課題】
【０００４】
壁付け配線部材は、サイズが大きくなる程、壁面に発生する反りの影響を受け易くなり、壁面に隙間なく密接させて固定することが困難になる。例えばユニット式浴室の壁面の場合、壁面は鋼板パネルによって構成され、一枚が大きいため、反りが発生し易く、上記の問題は特に顕著に見られる。
【０００５】
そこで、本発明は、壁面に反りが発生していても、壁面に安定的に密接して固定することができる壁付け配線部材を提供することを目的とする。
【課題を解決するための手段】
【０００６】
（１）  本発明に係る壁付け配線部材は、裏面（例えば、後述の裏面１１ａ）に開口する配線穴（例えば、後述の配線穴１３）と、前記配線穴から延び出る配線（例えば、後述の配線１４）とを有し、前記裏面側が壁面（例えば、後述の壁面４ａ）に接して固定される壁付け配線部材（例えば、後述の照明装置１０）であって、前記裏面の前記配線穴の周囲に、前記裏面から前記壁面に向けて突出する突起部（例えば、後述の第１の突起部１６、第２の突起部１３ａ、第３の突起部１８ａ、１８ｂ）を有し、前記突起部が前記裏面よりも前記壁面に近接して固定される構成を有する。
【０００７】
（２）  （１）に記載の壁付け配線部材において、前記突起部は環状であってもよい。
【０００８】
（３）  （１）又は（２）に記載の壁付け配線部材において、前記突起部の内側に、前記裏面に取り付けられて前記配線穴を取り囲む止水パッキン（例えば、後述の止水パッキン１７）を有していてもよい。
【０００９】
（４）  （１）〜（３）のいずれかに記載の壁付け配線部材において、前記突起部の内側に、前記壁面に対してネジ止めするためのネジ穴（例えば、後述のネジ穴１５ａ、１５ｂ）を有していてもよい。
【００１０】
（５）  （１）〜（４）のいずれかに記載の壁付け配線部材において、前記裏面の外周縁に沿って、段差部（例えば、後述の段差部１９）を有していてもよい。
【００１１】
（６）  （１）〜（５）のいずれかに記載の壁付け配線部材において、前記突起部は、前記裏面に対して別体に形成されていてもよい。
【発明の効果】
【００１２】
本発明によれば、壁面に反りが発生していても、壁面に安定的に密接して固定することができる壁付け配線部材を提供することができる。
【図面の簡単な説明】
【００１３】
【図１】本発明の一実施形態に係る壁付け配線部材が取り付けられた浴室の内部を示す図である。
【図２】本発明の一実施形態に係る壁付け配線部材を裏面側から見た斜視図である。
【図３】本発明の一実施形態に係る壁付け配線部材の部分背面図である。
【図４】本発明の一実施形態に係る壁付け配線部材が壁面に取り付けられた状態を示す側面図である。
【図５】本発明の一実施形態に係る壁付け配線部材が壁面に取り付けられた状態を示す部分平面図である。
【発明を実施するための形態】
【００１４】
以下、本発明の実施形態について図面を参照して説明する。
図１は、本発明の一実施形態に係る壁付け配線部材が取り付けられた浴室の内部を示す図であり、図２は、本発明の一実施形態に係る壁付け配線部材を裏面側から見た斜視図であり、図３は、本発明の一実施形態に係る壁付け配線部材の部分背面図である。
以下において、壁付け配線部材が浴室１の壁面４ａに固定される照明装置１０である場合を例示して説明する。
【００１５】
浴室１内には浴槽２と洗い場３が設けられている。洗い場３の壁面４ａには、縦長状の鏡５が設けられ、鏡５の下方に混合水栓６が設置されている。混合水栓６にはシャワーホース７を介してシャワーヘッド８が接続されている。シャワーヘッド８は、壁面４ａに設けられたシャワーフック９に掛止できるように構成されている。
【００１６】
壁面４ａの鏡５の上方の壁面４ａには、本発明の一実施形態としての照明装置１０が取付けられている。図２に示すように、照明装置１０は、図示しない電球、蛍光灯、ＬＥＤ等の発光体が取り付けられる横長矩形状の基板部１１と、この基板部１１の前面に着脱可能に装着される照明カバー１２とを有し、基板部１１の裏面１１ａ側を壁面４ａに向けて取り付けられている。
【００１７】
基板部１１の裏面１１ａは、平坦な横長矩形状に形成されている。裏面１１ａの中央部付近には１つの配線穴１３が開口している。この配線穴１３からは、発光体に電力供給するための配線１４が延び出ている。
【００１８】
また、裏面１１ａには、配線穴１３に近接して、図示しない取り付け用のネジを挿通させるための２つのネジ穴１５ａ、１５ｂが設けられている。ネジ穴１５ａ、１５ｂは、配線穴１３を挟んで基板部１１の長さ方向に沿って配置されている。一方のネジ穴１５ａは、基板部１１の長さ方向に沿って長い穴径を有する長穴からなり、他方のネジ穴１５ｂ、基板部１１の幅方向に沿って長い穴径を有する長穴からなる。
【００１９】
この照明装置１０において、基板部１１の裏面１１ａの長さ方向の中央部には、配線穴１３及びネジ穴１５ａ、１５ｂの周囲を取り囲むように第１の突起部１６が一体に設けられている。本実施形態に示す第１の突起部１６は、矩形状突起部１６ａと、その内側に配置される長円形状突起部１６ｂとを組み合わせた形状の、連続する、環状の突条によって構成されている。２つのネジ穴１５ａ、１５ｂは、第１の突起部１６の長円形状突起部１６ｂの内側に配置されている。
【００２０】
第１の突起部１６は、基板部１１の長さに対して十分に短く形成されている。従って、基板部１１を長さ方向に見た場合、裏面１１ａは、中央部に突出する第１の突起部１６よりも両端部側に、第１の突起部１６よりも一段低い平坦面として広がっている。この第１の突起部１６よりも両端部側の裏面１１ａには何も設けられていない。第１の突起部１６の裏面１１ａからの突出高さは一定である。
【００２１】
第１の突起部１６の内側に、環状の弾性材料からなる止水パッキン１７が取り付けられている。止水パッキン１７は、第１の突起部１６の長円形状突起部１６ｂの内側に沿うように配置され、配線穴１３及びネジ穴１５ａ、１５ｂの周囲を取り囲んでいる。
【００２２】
第１の突起部１６の内側において、配線穴１３の周縁部は、裏面１１ａから突出する第２の突起部１３ａを有している。第２の突起部１３ａの裏面１１ａからの高さは、第１の突起部１６の高さと同じである。配線穴１３は、この第２の突起部１３ａによって穴形状が保持されている。
【００２３】
また、第１の突起部１６の内側において、各ネジ穴１５ａ、１５ｂの周縁部は、裏面１１ａから突出する第３の突起部１８ａ、１８ｂを有している。第３の突起部１８ａ、１８ｂの裏面１１ａからの高さは、第１の突起部１６、第２の突起部１３ａと同じである。各ネジ穴は第３の突起部１８ａ、１８ｂに形成されている。これにより、基板部１１が壁面４ａに固定するためにネジを締め付ける際、ネジ穴１５ａ、１５ｂの周囲は第３の突起部１８ａ、１８ｂによって支持され、それ以上壁面４ａに向けて移動することはない。従って、ネジの締め付けトルクによって第１の突起部１６の内側の基板部１１が変形してしまうことがない。
【００２４】
これら第１の突起部１６、第２の突起部１３ａ、第３の突起部１８ａ、１８ｂは、基板部１１の裏面１１ａの基板部構成部品において、該裏面１１ａから最も突出している部位を構成している。即ち、基板部１１の裏面１１ａを基準面としたとき、第１の突起部１６、第２の突起部１３ａ、第３の突起部１８ａ、１８ｂは、この基準面に対して最も高く形成された部品を構成している。このため、この照明装置１０の裏面１１ａ側が壁面４ａに接するように、壁面４ａに対して裏面１１ａを平行に近づけていった際、これら第１の突起部１６、第２の突起部１３ａ、第３の突起部１８ａ、１８ｂが、裏面１１ａよりも壁面４ａに近接し、更に近づけていくと、基板部１１において最初に壁面４ａと接触する。このとき、第１の突起部１６を外枠とする領域が、壁面４ａと接する又は最も近接する接触領域を形成する。この接触領域の外側の裏面１１ａは、壁面４ａと接することがなく、第１の突起部１６、第２の突起部１３ａ、第３の突起部１８ａ、１８ｂの各端面よりも壁面４ａに対して後退した非接触領域を形成する。
【００２５】
なお、基板部構成部品とは、基板部１１を構成する部品のことである。本実施形態における基板部１１の裏面１１ａの基板部構成部品は、第１の突起部１６、第２の突起部１３ａ、第３の突起部１８ａ、１８ｂ、配線穴１３、ネジ穴１５ａ、１５ｂがある。基板部構成部品は、基板部１１に対して一体に設けられるものでもよいし、別体に設けられるものでもよい。但し、この基板部構成部品には、止水パッキン１７は含まれない。
【００２６】
次に、この照明装置１０が壁面４ａに固定される様子について、図４、図５を用いて説明する。
照明装置１０は、ネジ穴１５ａ、１５ｂを利用して、基板部１１の表面側から壁面４ａに対して、２本のネジによってネジ止めされる。配線１４は壁面４ａに形成された図示しない穴部に挿通している。
【００２７】
ネジの締め付けに伴い、壁面４ａが基板部１１側に次第に引き寄せられて止水パッキン１７が圧縮され、基板部１１と壁面４ａとが近接する。第１の突起部１６、第２の突起部１３ａ、第３の突起部１８ａ、１８ｂは、基板部１１の裏面１１ａから壁面４ａに向けて最も突出している部位であるため、基板部１１と壁面４ａとが近づくのに伴い、先ず、これら第１の突起部１６、第２の突起部１３ａ、第３の突起部１８ａ、１８ｂのそれぞれの端面が、裏面１１ａよりも壁面４ａに近接する。そして、更にネジが締め付けられ、止水パッキン１７が更に圧縮されると、これら第１の突起部１６、第２の突起部１３ａ、第３の突起部１８ａ、１８ｂのそれぞれの端面が壁面４ａに接触し、基板部１１が壁面４ａに固定される。
【００２８】
第１の突起部１６、第２の突起部１３ａ、第３の突起部１８ａ、１８ｂが壁面４ａに接触しても、接触領域の外側の基板部１１の裏面１１ａは、第１の突起部１６、第２の突起部１３ａ、第３の突起部１８ａ、１８ｂよりも低い面からなる非接触領域であるため、壁面４ａに接触することはない。このため、図５に示すように、基板部１１の裏面１１ａと壁面４ａとの間に、第１の突起部１６、第２の突起部１３ａ、第３の突起部１８ａ、１８ｂの高さ分の隙間Ｓが形成される。
【００２９】
このように、照明装置１０は、弾性的に圧縮される止水パッキン１７を除いて、第１の突起部１６、第２の突起部１３ａ、第３の突起部１８ａ、１８ｂが、裏面１１ａよりも壁面４ａに近接して固定される。第１の突起部１６を外枠とする接触領域は、基板部１１の面積に対して十分に小さいため、その分、壁面４ａの反りによる影響を受けにくくなる。従って、この照明装置１０によれば、たとえ壁面４ａに反りが発生していても、壁面４ａに対して安定的に密接して固定することができる。しかも、取付け用のネジは２本だけで済み、ネジの本数を増加させる必要もない。
【００３０】
第１の突起部１６、第２の突起部１３ａ、第３の突起部１８ａ、１８ｂの高さは、基板部１１の裏面１１ａよりも高ければよく、特に限定されないが、例えば１ｍｍ〜２ｍｍとすることができる。第１の突起部１６を外枠とする接触領域の大きさは、照明装置１０のサイズや形状、壁面４ａの反りの発生の程度等によって適宜決定されるものであり、特に限定されないが、例えば１辺の最大長さを１００ｍｍ〜１２０ｍｍとすることができる。
【００３１】
本発明において、第１の突起部１６は、環状に形成されるものに限らず、配線穴１３の周囲に３点以上で断続的に分散して形成されるものであってもよい。しかし、本実施形態に示すように、第１の突起部１６が環状である場合、配線穴１３の周囲は第１の突起部１６によって完全に閉じられた状態となるため、配線穴１３への埃や水等の浸入阻止効果はより向上する。
【００３２】
止水パッキン１７は、第１の突起部１６の外側に配置されてもよい。しかし、本実施形態に示すように、第１の突起部１６の内側に止水パッキン１７を有する場合、止水パッキン１７の外周面が第１の突起部１６によって支持されるため、圧縮時の止水パッキン１７の変形方向を、内側の一方向のみとすることができる。これにより、止水パッキン１７の全周に亘る圧縮が安定し、長期に亘って良好な止水効果を発揮することができる。しかも、止水パッキン１７は第１の突起部１６によって遮蔽されるため、壁面４ａに対する照明装置１０の取り付け部位の見栄えが良くなる。
【００３３】
ネジ穴１５ａ、１５ｂは、第１の突起部１６の外側に配置されてもよい。しかし、本実施形態に示す照明装置１０のように、ネジ穴１５ａ、１５ｂは第１の突起部１６の内側に配置されることが好ましい。これにより、ネジの締め付けトルクを、第１の突起部１６の内側から第１の突起部１６に対して効果的に作用させることができる。また、第１の突起部１６の外側の裏面１１ａに、ネジの締め付けトルクによる変形応力が掛かることがないため、第１の突起部１６による壁面４ａに対する密接状態がより安定する。
【００３４】
本実施形態に示す照明装置１０は、基板部１１の裏面１１ａの外周縁に沿って、段差部１９を有している。基板部１１の裏面１１ａを基準面としたとき、段差部１９は、この基準面よりも低い部位である。照明装置１０がこのような段差部１９を有することによって、図４、図５に示すように、基板部１１の裏面１１ａの外周縁と壁面４ａとの間隔が大きく開いた形状となる。このため、基板部１１の裏面１１ａと壁面４ａとの間の隙間Ｓは、相対的に目立ちにくくなり、照明装置１０の取り付け部位の見栄えは更に良くなる。
【００３５】
本発明において、第１の突起部１６、第２の突起部１３ａ、第３の突起部１８ａ、１８ｂのうちのいずれか１つ以上は、基板部１１の裏面１１ａに一体に形成されるものに限らず、基板部１１の裏面１１ａに対して別体に形成され、裏面１１ａに対して着脱可能に取り付けられるものであってもよい。これによれば、壁面４ａの反りの程度、照明装置１０のサイズや形状等に応じて、突起部を交換等することができ、汎用性の高い照明装置１０を構成することが可能となる。
【００３６】
また、壁面４ａに対する基板部１１の接触領域は、基板部１１の裏面１１ａ側の１箇所に設けられるものに限らない。照明装置１０が更に大きい又は長い場合、上記と同様の接触領域が、裏面１１ａの複数個所に分散して配置されてもよい。
【００３７】
以上の説明では、横長矩形状の照明装置１０を例示したが、本発明に係る壁付け配線部材の具体的な形状は問わない。また、照明装置１０は、浴室内に固定されるものに限定されない。更に、本発明は照明装置に限定されず、裏面から延び出る配線を有し、裏面側が壁面に固定される構成を有する他の部材（例えば、壁付けテレビ、壁付けスピーカ、壁付け操作基板等）にも広く適用可能である。
【符号の説明】
【００３８】
１０  照明装置（壁付け配線部材）
１１ａ  裏面
１３  配線穴
１３ａ  第２の突起部
１４  配線
１５ａ、１５ｂ  ネジ穴
１６  第１の突起部
１７  止水パッキン
１８ａ、１８ｂ  第３の突起部
１９  段差部
【図１】
2019046628.tif 000003
【図２】
2019046628.tif 000004
【図３】
2019046628.tif 000005
【図４】
2019046628.tif 000006
【図５】
2019046628.tif 000007